(57)【特許請求の範囲】
【請求項１】
戸先側の扉体と、該戸先側の扉体に隣り合って回動自在に接続された戸尻側の扉体とを備えた両開き式折戸において、
前記戸尻側の扉体の横幅方向の寸法が、前記戸先側の扉体の横幅方向の寸法の１／２よりも短く、
前記両開き式折戸を全開した時に前記戸先側の扉体が当接する位置の床に、前記両開き式折戸をどちら側に開いた場合にも前記戸先側の扉体とそれぞれ当接するように一対の床付け戸当りが取り付けられており、
前記戸尻側の扉体の横幅方向の寸法は、前記両開き式折戸をどちら側に開いた場合にも、前記戸尻側の扉体が前記床付け戸当りに当接することがない長さに設定されていることを特徴とする両開き式折戸。
【請求項２】
前記戸尻側の扉体の横幅方向の寸法をＢ、前記戸先側の扉体の横幅方向の寸法をＡ＋Ｂ、前記両開き式折戸を全開した場合の、前記戸先側の扉体の戸先部分との境界から戸尻側方向への前記床付け戸当りの戸先側端部までの長さをα、前記戸先側の扉体と前記戸尻側の扉体との接続部分の各扉体における横幅方向の長さをβ、前記両開き式折戸を全開した場合の、前記床付け戸当りの戸先側端部から戸尻側端部までの長さをγとした場合に、
Ａ−Ｂ ＞ α＋β＋γ
という関係式が成り立つことを特徴とする請求項１に記載の両開き式折戸。
【請求項３】
前記戸尻側の扉体の横幅方向の寸法をＢ、前記戸先側の扉体の横幅方向の寸法をＡ＋Ｂ、前記両開き式折戸を全開した場合の、前記戸先側の扉体の戸先部分との境界から戸尻側方向への前記床付け戸当りの戸先側端部までの長さをα、前記戸先側の扉体と前記戸尻側の扉体との接続部分の各扉体における横幅方向の長さをβ、前記両開き式折戸を全開した場合の、前記床付け戸当りの戸先側端部から戸尻側端部までの長さをγとした場合に、
Ａ−Ｂ ＞ α＋β＋γ
という関係式が成り立つ位置に、前記床付け戸当りを取り付けることを特徴とする請求項１に記載の両開き式折戸の床付け戸当り取付方法。
【発明の詳細な説明】
【技術分野】
【０００１】
本発明は、扉体を回動および開口部横幅方向への移動により開閉動作させるようにした折戸やバランスドア等の開閉扉に関し、特に両開き式の折戸に関するものである。
【背景技術】
【０００２】
従来、この種の発明としては、例えば、特許文献１〜４に記載されたもののように、戸先側の扉体と、該戸先側の扉体に隣り合って回動自在に接続された戸尻側の扉体とからなる開閉体により構成された折戸がある。
【０００３】
より詳細に説明すれば、例えば図１２に示すように、開閉扉１は、前記開閉体１１０と、該開閉体１１０により開閉させる開口部を囲む枠体１２０と、開閉体１１０をその開閉動作に伴って横幅方向（図１２における左右方向）へ案内するガイド機構１３０と、開閉体１１０を前記枠体１２０に対し回動可能に支持する基軸部１４０とを具備している。
【０００４】
戸先側の扉体１１１は、略縦長矩形板状に構成され、表部及び／又は裏部における戸先側に、開閉操作のための取手部１１１ａを固定し、その逆側に具備されたヒンジ機構１１３を介して、戸尻側の扉体１１２に対し、接続されている。
そして、この戸先側の扉体１１１は、その横幅方向の中央近傍の部分が、ガイド機構１３０によって回動自在かつ横幅方向へスライド自在に吊るされている。したがって、戸先側の扉体１１１は、開閉動作の際、ガイド機構１３０に沿って横幅方向へ移動しながら回動する。
【０００５】
また、戸尻側の扉体１１２は、戸先側の扉体１１１よりも横幅方向寸法の小さい略縦長矩形板状に構成され、その横幅方向においてヒンジ機構１１３と逆側の端部が、基軸部１４０によって回動可能に支持されている。
【０００６】
また、図１３に示すように、ヒンジ機構１１３は、横断面略扇方状の歯車部材１１３ａを互いに噛み合うように２つ配置し、これら歯車部材１１３ａの軸心部Ｒを、その各々が回動自在となるようにブラケット１１３ｂにより軸支することで構成されている。
このヒンジ機構１１３によれば、戸先側の扉体１１１における一方向への回動と、戸尻側の扉体１１２における他方向への回動とが連動するため、その開閉動作をスムーズにすることができる。
【０００７】
この際、戸尻側の扉体１１２の横幅方向の寸法Ｂ’（前記基軸部１４０の回動中心Ｐから、前記戸尻側の扉体１１２に取り付けられた歯車部材１１３ａの軸心部Ｒまでの長さ）は、戸先側の扉体１１１の横幅方向寸法（前記戸先側の扉体１１１に取り付けられた歯車部材１１３ａの軸心部Ｒから、前記戸先側の扉体１１１の戸先部分１１１ｂとの境界Ｓまでの長さ）の１／２に設定されており、開閉体１１０の横幅方向の中心線Ｑのどちら側にも、扉をほぼ全開することができるようになっている（図１３参照）。
【０００８】
ここで、例えば車いすを使用する障害者などにとっては、引いて開けるより、押して開ける方がより簡単に扉を開けることができるため、通常、戸先側の扉体１１１を押して扉を開けている。
しかしながら、この場合、戸先側の扉体１１１における回動軸部１３１よりも戸尻側の部分と、戸尻側の扉体１１２とが使用者側に出っ張るため、途中で車いすにあたってしまい、扉を全開することが難しい、というデメリットがあった。
【０００９】
また、健常者が扉を使用したときに、使用条件によっては、扉を過剰な勢いで開けすぎて、扉が全開した場合に、戸先側の扉体１１１の戸先部分が、壁側まで勢いあまって持っていかれて、壁や扉（又は扉の取手部分）を傷つけてしまう可能性を想定できるケースもある。これに対しては、図１４に示すように、床付け戸当り２１０を設けて、戸先側の扉体１１１の戸先部分近傍が、それ以上、壁側に撓まないようにすることが考えられる。
【００１０】
しかしながら、この場合、例えば図１４に示す側に扉を開けた際には、扉を全開することができるが、逆側に扉を開けた際には、図１５に示すように、戸尻側の扉体１１２が先に戸当り２１０に当たってしまい、完全には全開することができないというデメリットがあった。また、戸当り２１０を両側にそれぞれ（一対）設けた際には、どちら側に扉を開いても、完全には扉を全開することができないというデメリットがあった。（図示省略）
【先行技術文献】
【特許文献】
【００１１】
【特許文献１】特開２００６−２９９５６６号公報
【特許文献２】特開２００６−２３３４８１号公報
【特許文献３】特開２００７−３３２６３３号公報
【特許文献４】特開２００７−１０７３１３号公報
【発明の概要】
【発明が解決しようとする課題】
【００１２】
本発明は、上記事情に鑑みてなされたものであり、その課題とするところは、車いすなどの障害者にとっても、扉をより簡単に全開することができる両開き式折戸を提供することである。
【００１３】
また、床付け戸当りを設けた場合にも、扉をどちら側にも全開することができる両開き式折戸を提供することである。
【課題を解決するための手段】
【００１４】
上記課題を解決するために、第一の発明は、戸先側の扉体１１１と、該戸先側の扉体１１１に隣り合って回動自在に接続された戸尻側の扉体１１２とを備えた両開き式折戸において、前記戸尻側の扉体１１２の横幅方向の寸法が、前記戸先側の扉体１１１の横幅方向の寸法の１／２よりも短いことを特徴としている。
【００１５】
このようになっている本発明は、従来の戸尻側の扉体１１２の横幅方向の寸法が戸先側の扉体１１１の横幅方向の寸法の１／２である両開き式折戸では戸先側の扉体１１１の横幅方向の中央近傍に支持されていた回動軸部１３１が、戸先側の扉体１１１の中央よりも戸尻側に寄った位置において戸先側の扉体１１１の開閉時の支点となる。このため、戸先側の扉体１１１において、前記支点である回動軸部１３１から戸先側の部分の横幅方向の長さＡの方が、前記回動軸部１３１から戸尻側の部分の横幅方向の長さＢよりも長くなるので、戸先側の扉体１１１を軽く押すだけで、より簡単に扉を開くことができる。また、戸先側の扉体１１１を押した場合に手前側に張り出してくる戸先側の扉体１１１及び戸尻側の扉体１１２の長さＢが短いので、車いすなどの障害者にとって、前記扉体１１１や扉体１１２が車いすにあたってしまい、扉を全開することが難しいというデメリットも軽減することができる。
【００１６】
また、第二の発明は、両開き式折戸を全開した時に前記戸先側の扉体１１１が当接する位置の床に、前記両開き式折戸をどちら側に開いた場合にも前記戸先側の扉体１１１とそれぞれ当接するように一対の床付け戸当り２１０，２１０が取り付けられており、前記戸尻側の扉体１１２の横幅方向の寸法Ｂは、前記両開き式折戸をどちら側に開いた場合にも、前記戸尻側の扉体１１２が前記床付け戸当り２１０，２１０に当接することがない長さに設定されていることを特徴としている。
【００１７】
この発明によれば、床付け戸当りを設ける必要がある場合であっても、前記両開き式折戸をどちら側に開いた場合にも、扉を完全に全開することができる。
【００１８】
さらに、第三の発明は、前記戸尻側の扉体の横幅方向の寸法をＢ、前記戸先側の扉体の横幅方向の寸法をＡ＋Ｂ、扉を全開した場合の、前記戸先側の扉体１１１の戸先部分１１１ｂとの境界Ｓから戸尻側方向への前記床付け戸当り２１０の戸先側端部までの長さをα、戸先側の扉体１１１と戸尻側の扉体１１２との接続部分の各扉体における横幅方向の長さ（すなわち、歯車部材１１３ａの軸心部Ｒから、閉塞部材１１４の円弧状先端部分までの長さ）をβ、扉を全開した場合の、床付け戸当り２１０の戸先側端部から戸尻側端部までの長さをγとした場合に、
Ａ−Ｂ＞α＋β＋γ
という関係式が成り立つことを特徴とする。
【００１９】
この発明によれば、床付け戸当り２１０の大きさと取付位置に応じて、戸先側の扉体１１１と戸尻側の扉体１１２の横幅方向の寸法を設定するか、または、戸先側の扉体１１１と戸尻側の扉体１１２の横幅方向の寸法に応じて、床付け戸当り２１０の大きさと取付位置とを調整すれば、どの規格の床付け戸当りを使用したとしても、確実に扉を全開することができる。
【図面の簡単な説明】
【００２０】
【図１】本発明に係る開閉扉の一例を示す正面図である。
【図２】同開閉扉における開閉体の開閉動作を示す、平面図からなる動作説明図である。
【図３】同開閉扉において、開閉体が全閉された状態を示す拡大正面図であり、要部を切欠して内部構造を示している。
【図４】同開閉扉において、開閉体が全開された状態を示す拡大正面図であり、要部を切欠して内部構造を示している。
【図５】同開閉扉におけるガイド機構を示す縦断面図である。
【図６】同開閉扉において、開閉体が一方側に全開された状態を示す一実施例の平面図である。
【図７】同開閉扉において、開閉体が他方側に全開された状態を示す一実施例の平面図である。
【図８】同開閉扉において、開閉体が一方側に全開された状態を示す他の実施例の平面図である。
【図９】同開閉扉において、開閉体が他方側に全開された状態を示す他の実施例の平面図である。
【図１０】同開閉扉において、開閉体が一方側に全開された状態を示すさらに別の実施例の平面図である。
【図１１】同開閉扉において、開閉体が他方側に全開された状態を示すさらに別の実施例の平面図である。
【図１２】従来の開閉扉の一例を示す正面図である。
【図１３】従来の開閉扉における開閉体の開閉動作を示す、平面図からなる動作説明図である。
【図１４】従来の開閉扉において、床付け戸当りが１つだけの場合に、開閉体が一方側に全開された状態を示す平面図である。
【図１５】従来の開閉扉において、床付け戸当りが１つだけの場合に、開閉体が他方側に開けられた場合に全開できない状態を示す平面図である。
【発明を実施するための形態】
【００２１】
本発明に係る実施の形態を、図１〜図１１に基づいて説明する。
図１〜図１１は、扉体を回動および開口部横幅方向への移動により開閉動作させるようにした折戸やバランスドア等の開閉扉に関し、特に両開き式の折戸として構成された開閉扉を説明する図である。ここで、従来技術と同じ構成については、同じ符号を用いることとする。
【００２２】
図１に示すように、開閉扉１は、前記開閉体１１０と、該開閉体１１０により開閉させる開口部を囲む枠体１２０と、開閉体１１０をその開閉動作に伴って横幅方向（図１における左右方向）へ案内するガイド機構１３０と、開閉体１１０を前記枠体１２０に対し回動可能に支持する基軸部１４０とを具備している。
【００２３】
戸先側の扉体１１１は、略縦長矩形板状に構成され、表部及び／又は裏部における戸先側に、開閉操作のための取手部１１１ａを固定し、その逆側に具備されたヒンジ機構１１３を介して、戸尻側の扉体１１２に対し、接続されている。
そして、この戸先側の扉体１１１は、その横幅方向の中央よりも少しだけ戸尻側の扉体１１２に近寄った部分が、ガイド機構１３０によって回動自在かつ横幅方向へスライド自在に吊るされている。したがって、戸先側の扉体１１１は、開閉動作の際、ガイド機構１３０に沿って横幅方向へ移動しながら回動する。
【００２４】
また、戸尻側の扉体１１２は、戸先側の扉体１１１よりも横幅方向寸法の小さい略縦長矩形板状に構成され、その横幅方向においてヒンジ機構１１３と逆側の端部が、基軸部１４０によって回動可能に支持されている。
【００２５】
枠体１２０は、開閉体１１０の上方側で横幅方向へわたる上枠部材１２１と、該上枠部材１２１の両端部各々から下方へ延設される左右の縦枠部材１２２，１２３とから、略コ字枠状に構成され、構造物の開口部に対し固定されている。
そして、この枠体１２０の上枠部材１２１には、その横幅方向へわたってガイド機構１３０が固定されるとともに、基軸部１４０の上端側が支持されている。
【００２６】
ガイド機構１３０は、戸先側の扉体１１１上端部の横幅方向の中央近傍に支持された回動軸部１３１と、該回動軸部１３１の上端にブラケット等を介して支持された２つのローラ１３２，１３２と、これらローラ１３２，１３２の転動面となるレール部材１３３とを具備している（図３〜５参照）。
そして、回動軸部１３１は、戸先側の扉体１１１の上下方向を軸心とするように配置され、ベアリング等の軸受部材１３５を介して、戸先側の扉体１１１が回動自在かつ抜けることのないように、戸先側の扉体１１１を支持している。
また、各ローラ１３２は、上枠部材１２１の横幅方向へ転動するように配置され、回動軸部１３１の上端側に支持ブラケット１３４を介して回動自在に支持されている。
そして、レール部材１３３は、上枠部材１２１の横幅方向へわたって固定された断面略Ｌ字状の部材であり、前記各ローラ１３２を転動自在に載置している。
【００２７】
基軸部１４０は、開閉体１１０における戸尻側の扉体１１２の上端側を回動自在に支持する枢支部材１４１と、同扉体１１２の下端側を支持しながら扉体１１２を閉鎖方向へ付勢する付勢機構１４２とを具備してなる。
【００２８】
また、図２に示すように、ヒンジ機構１１３は、横断面略扇方状の歯車部材１１３ａを互いに噛み合うように２つ配置し、これら歯車部材１１３ａの軸心部Ｒを、その各々が回動自在となるようにブラケット１１３ｂにより軸支することで構成されている。
このヒンジ機構１１３によれば、戸先側の扉体１１１における一方向への回動と、戸尻側の扉体１１２における他方向への回動とが連動するため、その開閉動作をスムーズにすることができる。
【００２９】
なお、上記ヒンジ機構１１３及び両扉体１１１，１１２間の隙間は、ゴム等の弾性材料を断面略中空状に加工してなる閉塞部材１１４，１１４により覆われている。そのため、ヒンジ機構１１３や、両扉体１１１，１１２間の隙間に、手や物等が挟まれて大きなダメージを与えてしまうことを防ぐことができる。
【００３０】
ここで、図１及び図２に示すように、回動軸部１３１の軸心と基軸部１４０の軸心とは、全閉状態における開閉体１１０の厚さ方向において、該開閉体１１０の全閉状態から全開状態まで常に略同一位置である。
また、回動軸部１３１の軸心から戸先側の扉体１１１に取り付けられた歯車部材１１３ａの軸心部Ｒまでの長さと、基軸部１４０の回動中心Ｐから戸尻側の扉体１１２に取り付けられた歯車部材１１３ａの軸心部Ｒまでの長さとは、等しい（図２の寸法Ｂ）。
この、基軸部１４０の回動中心Ｐから戸尻側の扉体１１２に取り付けられた歯車部材１１３ａの軸心部Ｒまでの長さ、すなわち、戸尻側の扉体１１２の横幅方向の寸法Ｂは、戸先側の扉体１１１の横幅方向の寸法「Ａ＋Ｂ」（前記戸先側の扉体１１１に取り付けられた歯車部材１１３ａの軸心部Ｒから、前記戸先側の扉体１１１の戸先部分１１１ｂとの境界Ｓまでの長さ）の１／２よりも短く設定されている。
【００３１】
そして、前述のとおり、戸先側の扉体１１１は、その横幅方向の中央よりも少しだけ戸尻側の扉体１１２に近寄った部分が、ガイド機構１３０によって回動自在かつ横幅方向へスライド自在に吊るされており、戸先側の扉体１１１上端部の横幅方向の中央よりも少しだけ戸尻側の扉体１１２に近寄った部分に支持された回動軸部１３１が、戸先側の扉体１１１の開閉時の支点となる。
【００３２】
その結果、戸先側の扉体１１１において、前記支点である回動軸部１３１から戸先側の部分の横幅方向の長さＡの方が、前記回動軸部１３１から戸尻側の部分の横幅方向の長さＢよりも長くなるので、戸先側の扉体１１１の取手１１１ａを軽く押すだけで、より簡単に扉を開くことができる。また、戸先側の扉体１１１を押した場合に手前側に張り出してくる戸先側の扉体１１１及び戸尻側の扉体１１２の長さＢが短いので、車いすなどの障害者にとって、前記扉体１１１や扉体１１２が車いすにあたってしまい、扉を全開することが難しいというデメリットも軽減することができるのである。
【００３３】
また、健常者が扉を使用したときに、使用条件によっては、扉を過剰な勢いで開けすぎて、扉が全開した場合に、戸先側の扉体１１１の戸先部分が、壁側まで勢いあまって持っていかれて、壁や扉（又は扉の取手部分）を傷つけてしまうおそれがあるため、床や壁、又は、扉に戸当りを設けてこれを回避するのが一般的である。
この際、納まりの都合上や、壁や扉に戸当りを設ける場合には、該壁や扉を衝撃に耐えるように強化しなければならなくなる関係上、床付け戸当りが必要な場合がある。また、壁や扉に戸当りを設けた場合には、全開した場合に、やはり勢いあまって扉が全開位置よりも壁側まで持っていかれるおそれがあるため、確実に全開位置で止めるためには、床付け戸当りが望ましい。
また、扉の上部を止めることも効果的であるが、扉体の撓みによりぐらつきやすい扉の下側を止めることの方がより効果的であるため、床付け戸当りが望ましい。
なお、床付け戸当りの形状としては、平面視略円形、楕円形、矩形等、様々なものが知られており、どのような形状のものであっても構わない。
【００３４】
図６及び図７は、床付け戸当り２１０を、扉をどちら側に全開した場合にも、それぞれ戸先側の扉体１１１に当接するように両側に一対設けた場合の、一実施例を示す図である。
【００３５】
図６及び図７の実施例では、戸当り２１０の最も太い部分の直径γが４５ｍｍである。ここで、前記γとは、戸当り２１０の平面視形状が真円形でない場合のことも考慮すると、扉を全閉した場合の開閉体１１０の厚さ方向の寸法、すなわち、扉を全開した場合の戸当り２１０の戸先側端部から戸尻側端部までの長さのことである。そして、扉を全開した場合に、戸先側の扉体１１１の戸先側先端部分（戸先部分近傍）が戸当り２１０に当接するように、床付け戸当り２１０が設置されている。ここで、具体的には、図６に示すように、扉を全開した場合の、前記戸先側の扉体１１１の戸先部分１１１ｂとの境界Ｓから、戸尻側方向への戸当り２１０の戸先側端部までの長さαが２ｍｍの位置であって、前記戸先側の扉体１１１に当接する位置に、戸当り２１０が取り付けられている。また、戸先側の扉体１１１と戸尻側の扉体１１２との接続部分の各扉体における横幅方向の長さ、すなわち、歯車部材１１３ａの軸心部Ｒから、閉塞部材１１４の先端部分（円弧状先端部分）までの長さβは３０ｍｍであるとする。
【００３６】
また、戸尻側の扉体１１２の横幅方向の寸法Ｂ（前記基軸部１４０の回動中心Ｐから、前記戸尻側の扉体１１２に取り付けられた歯車部材１１３ａの軸心部Ｒまでの長さ）は、戸先側の扉体１１１の横幅方向の寸法「Ａ＋Ｂ」の１／２よりも４５ｍｍ短く設定されている。よって、戸先側の扉体１１１における、該戸先側の扉体１１１上端部の横幅方向の中央よりも少しだけ戸尻側の扉体１１２に近寄った部分に支持された回動軸部１３１から戸先部分１１１ｂとの境界Ｓまでの長さＡは、前記戸先側の扉体１１１の横幅方向の寸法「Ａ＋Ｂ」の１／２よりも４５ｍｍ長く設定されている。
【００３７】
このとき、扉を全開した場合に、戸尻側の扉体１１２が戸当り２１０に当たらないようにするためには、前記戸先側の扉体１１１の戸先側の部分の横幅方向の寸法Ａと、前記戸先側の扉体１１１の戸尻側の部分の横幅方向の寸法（＝前記戸尻側の扉体１１２の横幅方向の寸法）Ｂとの差は、前記戸先側の扉体１１１の戸先部分１１１ｂとの境界Ｓから、戸尻側方向への戸当り２１０の円周部分端部までの長さαと、前記床付け戸当り２１０の直径γと、前記戸先側の扉体１１１と戸尻側の扉体１１２との接続部分の各扉体における横幅方向の長さβとを足した値よりも、大きくなければならない（図６及び図７参照）。すなわち、「Ａ−Ｂ」を「α＋β＋γ」より大きく設定しておかなければ、全開しようとした場合に、戸尻側の扉体１１２が戸当り２１０に当たってしまい、完全に全開することができなくなってしまうため、「Ａ−Ｂ ＞ α＋β＋γ」の関係式が成り立つように設定しておく必要がある。
【００３８】
そして、この実施例においては、「α＋β＋γ」＝２＋３０＋４５＝７７ｍｍであるが、戸尻側の扉体１１２の横幅方向の寸法Ｂを、戸先側の扉体１１１の横幅方向の寸法「Ａ＋Ｂ」の１／２よりも４５ｍｍ短く設定してあるため、「Ａ−Ｂ」＝９０ｍｍであり、前記「Ａ−Ｂ ＞ α＋β＋γ」の関係式を満たしている。
このため、扉をどちら側にも開いた場合にも、戸尻側の扉体１１２が床付け戸当り２１０に当接することがなく、全開することができるものである。また、全開した位置において、戸先側の扉体１１１が確実に戸当り２１０に当接して扉が止まるため、それ以上壁側に扉を持っていかれて、壁や扉を傷つけてしまうこともないものである。
【００３９】
図８及び図９は、床付け戸当り２１０を、扉をどちら側に全開した場合にも戸先側の扉体１１１に当接するように両側に一対設けた場合の、他の実施例を示す図である。この実施例は、最も太い部分の直径γが５０ｍｍの戸当りを、図６及び図７の実施例とほぼ同じ位置に取り付けた例である。この場合、図８に示すように、扉を全開した場合の、前記戸先側の扉体１１１の戸先部分１１１ｂとの境界Ｓから、戸尻側方向への戸当り２１０の円周部分端部までの長さαは−０．５ｍｍである。また、戸先側の扉体１１１と戸尻側の扉体１１２との接続部分の各扉体における横幅方向の長さβ（すなわち、歯車部材１１３ａの軸心部Ｒから、閉塞部材１１４の円弧状先端部分までの長さβ）は、図６及び図７の実施例と同じく３０ｍｍであるとする。
【００４０】
このとき、「α＋β＋γ」＝−０．５＋３０＋５０＝７９．５ｍｍであるが、この実施例においても、戸尻側の扉体１１２の横幅方向の寸法Ｂを、戸先側の扉体１１１の横幅方向の寸法「Ａ＋Ｂ」の１／２よりも４５ｍｍ短く設定してあるため、「Ａ−Ｂ」＝９０ｍｍであり、前記「Ａ−Ｂ ＞ α＋β＋γ」の関係式を満たしている。
よって、この実施例においても、扉をどちら側にも開いた場合にも、戸尻側の扉体１１２が床付け戸当り２１０に当接することがなく、全開することができるものである。また、全開した位置において、戸先側の扉体１１１が確実に戸当り２１０に当接して扉が止まるため、それ以上、壁側に扉を持っていかれて、壁や扉を傷つけてしまうこともないものである。
【００４１】
なお、本実施の形態のように、戸尻側の扉体１１２の横幅方向の寸法Ｂ、すなわち、前記基軸部１４０の回動中心Ｐから前記戸尻側の扉体１１２に取り付けられた歯車部材１１３ａの軸心部Ｒまでの長さＢが、戸先側の扉体１１１の横幅方向の寸法「Ａ＋Ｂ」の１／２より短く設定されている場合には、基軸部１４０の回動中心Ｐから戸尻側の扉体１１２の戸尻側先端までの距離をＣとすると、Ｃ＜Ｂであれば、「Ｂ＋Ｃ」が「Ａ＋Ｂ」の１／２よりも短くなくてもよいことは、言うまでもない。逆に、「Ｂ＋Ｃ」が「Ａ＋Ｂ」の１／２よりも短ければ、Ｂが「Ａ＋Ｂ」の１／２よりも短いことは自明である。
また、本実施の形態においては、寸法Ｂを「基軸部１４０の回動中心Ｐから戸尻側の扉体１１２に取り付けられた歯車部材１１３ａの軸心部Ｒまでの長さ」としたが、「基軸部１４０の回動中心Ｐから戸尻側の扉体１１２に設けられた歯車部材１１３ａ（または閉塞部材１１４）の先端部分までの長さ」としてもよい。この場合には、前記β＝０として計算される。
さらに、戸先側の扉体１１１に境界Ｓがない場合など、寸法Ａを戸先側の扉体１１１の先端まで含めて計算し、各寸法を設定することも可能である。
また、このように寸法Ａ，Ｂをどこまでの長さとするかにより寸法の関係は変わってくるが、「Ｂ＋β」が「Ａ＋Ｂ＋β」の１／２よりも短いことが好ましい。
【００４２】
また、本実施の形態におけるヒンジ機構１１３に代えて、例えば特許文献２〜４等に記載されているような各扉体の動きが略同様となる他の方式のヒンジ機構を用いる場合には、本実施の形態におけるヒンジ機構１１３を用いた場合の動作原理に置き換えて寸法設定の基準位置を定めればよい。すなわち、他の方式のヒンジ機構において、本実施の形態におけるヒンジ機構１１３の軸心部Ｒ，Ｒに略相当する点を仮想軸心部Ｒ’，Ｒ’（図示せず）としたときに、本実施の形態における軸心部Ｒ，Ｒに代えて前記Ｒ’，Ｒ’を寸法Ａ，Ｂの基準線とすればよい。
【００４３】
なお、本実施の形態においては、扉を全開した場合に、戸先側の扉体１１１に当接する戸当り２１０のみを設けているが、必要に応じて、例えば図１０及び図１１に示すように、戸尻側の扉体１１２用の戸当り２１１（戸先側の扉体１１１には当接せず、戸尻側の扉体１１２にのみ当接する）をさらに設けてもよい。
また、扉を開閉する機構としては、手動の開閉扉であっても、リニアモーター式等の自動の開閉扉であっても構わない。
【符号の説明】
【００４４】
１１０：開閉体                １１１：戸先側の扉体
１１１ａ：取手部              １１１ｂ：戸先部分
１１２：戸尻側の扉体          １１３：ヒンジ機構
１１３ａ：歯車部材            １１３ｂ：ブラケット
１１４：閉塞部材
１２０：枠体                  １２１：上枠部材
１２２：左縦枠部材            １２３：右縦枠部材
１３０：ガイド機構            １３１：回動軸部
１３２：ローラ                １３３：レール部材
１３４：支持ブラケット        １３５：軸受部材
１４０：基軸部                １４１：枢支部材
１４２：付勢機構
２１０：床付け戸当り          ２１１：床付け戸当り
Ｐ：基軸部１４０の回動中心である、上下方向の枢軸線
Ｑ：開閉体１１０を閉じた場合の横幅方向の中心線
Ｒ：歯車部材１１３ａの軸心部
Ｓ：扉体１１１の戸先部分１１１ｂとの境界線
【図１】
0005583397.tif 000002
【図２】
0005583397.tif 000003
【図３】
0005583397.tif 000004
【図４】
0005583397.tif 000005
【図５】
0005583397.tif 000006
【図６】
0005583397.tif 000007
【図７】
0005583397.tif 000008
【図８】
0005583397.tif 000009
【図９】
0005583397.tif 000010
【図１０】
0005583397.tif 000011
【図１１】
0005583397.tif 000012
【図１２】
0005583397.tif 000013
【図１３】
0005583397.tif 000014
【図１４】
0005583397.tif 000015
【図１５】
0005583397.tif 000016